(57)【要約】【課題】特別な設置スペースを必要とすることなく、冷却を必要とする部分のみをスポット的に冷却することができるラック用冷却ユニットを提供する。【解決手段】ラックユニット１の内部を仕切り板２により上下に区画し、仕切り板２にペルチェ冷却装置３を取り付けて一方を放熱室６、他方を吸熱室７とする。吸熱室６に冷却用ファン８を設け冷却目的の機器搭載ユニット２０に冷却風を送風する。冷却用ファン８の取り付け位置は自由であり、冷却風を機器搭載ユニット２０に送風する手段としては、デフレクタ１２、ダクト、ホースなど任意の手段を採用できる。【選択図】  図２
2004165528.tif 000002
【特許請求の範囲】
【請求項１】
ペルチェ冷却装置を搭載したラックユニットの内部を仕切り板により上下に区画して一方を放熱室、他方を吸熱室とし、吸熱室に目的の機器搭載ユニットに冷却風を送風するための冷却用ファンを設けたことを特徴とするラック用冷却ユニット。
【発明の詳細な説明】
【０００１】
【発明の属する技術分野】
本発明は、電子機器ラック内の特定箇所を局所的に冷却するためにラック内に組み込んで使用するラック用冷却ユニットに関するものである。
【０００２】
【従来の技術】
【特許文献１】実開平６−２８５７３号公報
【０００３】
電子機器ラックの内部は収納した電子機器の発熱により昇温するため、冷却する必要がある。そこで従来は特許文献１に記載のようにラック内の全体に冷却空気を循環させて全体冷却を行っていた。しかし、ラック全体を冷却するために冷却能力の大きい冷却装置が必要となり、また冷却装置のための特別な取り付けスペースが必要となるという問題があった。しかも電子機器には発熱量の大小や必要とする冷却温度の高低があるため、ラックの内部全体を均一に冷却する従来構造は合理性を欠く面もあった。
【０００４】
【発明が解決しようとする課題】
本発明は上記した従来の問題点を解決し、特別な設置スペースを必要とすることなく、冷却を必要とする部分のみをスポット的に冷却することができるラック用冷却ユニットを提供するためになされたものである。
【０００５】
【課題を解決するための手段】
上記の課題を解決するためになされた本発明のラック用冷却ユニットは、ペルチェ冷却装置を搭載したラックユニットの内部を仕切り板により上下に区画して一方を放熱室、他方を吸熱室とし、吸熱室に目的の機器搭載ユニットに冷却風を送風するための冷却用ファンを設けたことを特徴とするものである。
【０００６】
本発明のラック用冷却ユニットは、通常のラックユニットと同様にラック内に収納して用いることができるため、冷却装置のための特別な取り付けスペースを必要としない。しかも冷却目的とする機器搭載ユニットの近傍に設置することにより、効率よくスポット的な冷却を行うことができる。
【０００７】
【発明の実施の形態】
以下に本発明の好ましい実施形態を示す。
図１は本発明のラック用冷却ユニットの斜視図、図２はラックへの取り付け状態を示す模式的な断面図である。これらの図において、１は浅箱状のラックユニットであり、その内部は仕切り板２によって上下の２室に区画されている。仕切り板２の中央部にはペルチェ冷却装置３が搭載されている。周知のようにペルチェ冷却装置３はペルチェ素子の両面に放熱用ヒートシンク４と吸熱用ヒートシンク５とを取り付けたものであり、この実施形態では仕切り板２の上側に放熱用ヒートシンク４を露出させて放熱室６とし、仕切り板２の下側に吸熱用ヒートシンク５を露出させて吸熱室７としてある。
【０００８】
ラックユニット１の前後両端部には冷却用ファン８と放熱用ファン９とが配置されている。冷却用ファン８はラックユニット１の側面の下側通気孔１０から吸引した空気を吸熱用ヒートシンク５により冷却したうえ、ラックユニット１の前部から冷却風として吹き出すものであり、放熱用ファン９はラックユニット１の側面の上側通気孔１１から吸引した空気を放熱用ヒートシンク４に流し、加熱された温風をラックユニット１の後部に排出するものである。
【０００９】
この実施形態では、ラックユニット１の前部に上面が開口したデフレクタ１２を取り付け、冷却用ファン８から出た冷却風を上方に吹き出している。図２に示すように、このラック用冷却ユニットはマウントレール１３，１３間に差し込んで用いられるものであり、冷却目的である機器搭載ユニット２０の直下に位置させておけば、送風された冷却風は機器搭載ユニット２０のファン２１によりその前部から吸引され、機器搭載ユニット２０を通過する間に機器を冷却しながら、機器搭載ユニット２０の後方に排出される。機器搭載ユニット２０は例えば発熱量の大きいサーバーを搭載したユニットである。ユニットの後方に排出された温風は、図２に示すようにラック筺体３０の上部側面や天井面に設けた排気ファン３１により外部に放出される。
【００１０】
なお、この実施形態では本発明のラックユニット１を他の機器搭載ユニット２０と同一サイズ、同一高さとしたが、ファンやヒートシンクを大型のものとした場合にはラックユニットの高さを機器搭載ユニット２０よりも高くしたものとしてもよい。ペルチェ冷却装置３の電源装置１４はそれ自体が発熱源となるため、放熱室６側に配置することが好ましく、コントローラ１５は低温となる吸熱室７に配置することが好ましい。
【００１１】
この実施形態ではラックユニット１の前部にデフレクタ１２を取り付けて冷却風を目的とする機器搭載ユニット２０に向かわせたが、デフレクタ１２の代わりにダクトまたはホースにより冷却風を目的とする機器搭載ユニット２０に導くこともできる。また、冷却用ファン８をラックユニット１の側面に配置してデフレクタやダクト等により機器搭載ユニット２０の側面から冷却風を送り込むものとしてもよい。また、ラックユニット１の底面に冷却用ファン８を設けて真下の機器搭載ユニット２０を冷却したり、ラックユニット１の天井面に冷却用ファン８を設けて真上の機器搭載ユニット２０を冷却することもできる。
【００１２】
このように構成された本発明のラック用冷却ユニットは、図２に示すようにマウントレール１３，１３間に差し込んで用いられるものであり、冷却目的である機器搭載ユニット２０の近傍に差し込むことにより、冷却したい機器搭載ユニット２０のみを効率よく冷却することができる。このため特別なスペースを必要としないうえ、ユニットの機器搭載部にペルチェ冷却装置３を搭載することができるので素子を多数設けることができ、冷却能力を高くすることができる。
【００１３】
【発明の効果】
以上に説明したように、本発明のラック用冷却ユニットは広い設置スペースを必要とすることなく、冷却を必要とする部分のみをスポット的に効率よく冷却することができる。このため従来のようにラック筺体内部の全体を冷却するものとは異なり、設備コスト及びランニングコストを削減しつつ、必要な機器のみを的確に冷却することができる利点がある。
【図面の簡単な説明】
【図１】実施形態のラック用冷却ユニットの斜視図である。
【図２】ラックへの取り付け状態を示す模式的な断面図である。
【符号の説明】
１  ラックユニット
２  仕切り板
３  ペルチェ冷却装置
４  放熱用ヒートシンク
５  吸熱用ヒートシンク
６  放熱室
７  吸熱室
８  冷却用ファン
９  放熱用ファン
１０  下側通気孔
１１  上側通気孔
１２  デフレクタ
１３  マウントレール
１４  電源装置
１５  コントローラ
２０  機器搭載ユニット
２１  ファン
３０  ラック筺体
３１  排気ファン
【図１】
2004165528.tif 000003
【図２】
2004165528.tif 000004